(57)【要約】【課題】取り付けに釘，ボルト等を必要とせずかつ強固なパネル構造を簡単な施工で実現できる多面壁構造体用パネルセットおよびこれを用いた多面壁構造体を提供する。【解決手段】第１から第８の長方形のパネルＰａ１〜Ｐａ８からなる多面壁構造体用パネルセットＰａであって、各パネルＰａ１〜Ｐａ８は、相互隣接する他のパネルと隣接辺に沿った方向にスライドして相互に嵌合する１対のスライド嵌合部材Ｊ１，Ｊ２をそれぞれ備え、第ｋ（ｋ＝１，２，・・・，７）＋１のパネルＰａｋ＋１のスライド嵌合部材Ｊ１が第ｋのパネルＰａｋのスライド嵌合部材Ｊ２に上側から下側に嵌合するように構成され、第８のパネルのスライド嵌合部材Ｊ１，Ｊ２がパネルＰａ１のスライド嵌合部材Ｊ１に上側から下側に嵌合するように構成されていることを特徴とする。【選択図】    図４
2005048373.tif 000002
【特許請求の範囲】
【請求項１】
第１から第Ｎ（ただし、Ｎ≧４）の長方形のパネルからなる、囲われた形状の多面壁構造体に用いるパネルセットであって、
前記第１から第Ｎのパネルは、相互隣接する他のパネルと隣接辺に沿った方向にスライドして相互に嵌合する１対のスライド嵌合部材を構造体の内側または外側となる側にそれぞれ備え、
第ｋ（ｋ＝１，２，・・・，Ｎ−１）＋１のパネルのスライド嵌合部材が第ｋのパネルのスライド嵌合部材に上側から下側に嵌合するように構成され、
第Ｎのパネルのスライド嵌合部材が第１のパネルのスライド嵌合部材に上側から下側に嵌合するように構成され、
ていることを特徴とする多面壁構造体用パネルセット。
【請求項２】
請求項１に記載の多面鋼材体用パネルセットの複数組からなる多段式の多面壁構造体用パネルセットであって、下段側の組の各パネルと上段側の組の各パネルには、相互に上下方向にスライド連結するためのスライド嵌合部材が設けられていることを特徴とする多面壁構造体用パネルセット。
【請求項３】
前記相互に横方向または上下方向に隣接するべき２つのパネルのうちの一方の当該隣接辺には、断面が概略コ字形状の目地充填補助部材が、当該コ字の開口側を前記構造体のスライド嵌合部材が備えられていない側に向けて、それぞれ取り付けられていることを特徴とする請求項１または２に記載の多面壁構造体用パネルセット。
【請求項４】
前記スライド嵌合部材は、金属またはプラスチックからなるＬ字形板材または鉤形板材からなることを特徴とする請求項１から３の何れかに記載の多面壁構造体用パネルセット。
【請求項５】
前記各パネルの前記フライド嵌合部材が取り付けられた側の構造体内側となる面または／および構造体外側となる面には化粧処理が施されていることを特徴とする請求項１から４の何れかに記載の多面壁構造体用パネルセット。
【請求項６】
部屋壁に用いる多面壁構造体用パネルセットであって、
前記スライド嵌合部材が部屋外側に取り付けられ、
少なくとも１枚のパネルには、ドアまたは窓用の開口領域が形成されていることを特徴とする請求項１から５の何れかに記載の多面壁構造体用パネルセット。
【請求項７】
請求項１から６の何れかに記載の多面壁構造体用パネルセットを用いた多面壁構造体であって、第１から第Ｎのパネルが、順次、側辺の端部同士を当接させて立設連結されてなることを特徴とする多面壁構造体。
【請求項８】
請求項７に記載の多面壁構造体用パネルセットを用いた多面壁構造体であって、各段の第１から第Ｎのパネルが、順次、側辺の端部同士を当接させるとともに、下段および／または上段のパネルの上下辺の端部同士を当接させて立設連結されてなることを特徴とする多面壁構造体。
【発明の詳細な説明】
【０００１】
【発明の属する技術分野】
本発明は、複数の長方形のパネルからなる多面壁構造体パネルセットおよびこれを用いた多面壁構造体に関し、強固な構成を簡単な施工で実現できる前記パネルセットおよび前記多面壁構造体に関する。
【０００２】
【従来の技術】
従来、壁構造体は、たとえば複数のパネルを間柱に室内側から木ネジ等により取り付けることで構成されることが多い。この種の壁構造体ではパネル表面に露出した釘，木ネジ等の頭をパテ等により隠す処理が行われることもある。
【０００３】
【発明が解決しようとする課題】
ところが、パネルの間柱等への取り付けに際しては、パネルの位置決めが容易ではなく、取付け作業自体も一人で行うことは困難である。通常、パネルは所望のサイズのものが所望枚数用意され、所定の部位に配置されるが、パネルの取付けに誤差が生じると、用意してあるパネルを所望位置に取り付けることができないといった事態が生じる。また、上記した釘等の頭を隠したパテ等によりパネルの見栄えが悪くなるといった不都合もある。
【０００４】
本発明は、取り付けに釘，ボルト等を必要とせずかつ強固なパネル構造を簡単な施工で実現できしたがって釘，ボルト等により見栄えが悪くはならずかつ一人作業が可能であり、また取り付け誤差もない多面壁構造体用パネルセットおよびこれを用いた多面壁構造体を提供することを目的とする。
【０００５】
【課題を解決するための手段】
本発明の多面壁構造体用パネルセットは、第１から第Ｎ（ただし、Ｎ≧４）の長方形のパネルからなる、囲われた形状の多面壁構造体に用いるものであって、前記第１から第Ｎのパネルは、相互隣接する他のパネルと隣接辺に沿った方向にスライドして相互に嵌合する１対のスライド嵌合部材を構造体の内側または外側となる側にそれぞれ備え、第ｋ（ｋ＝１，２，・・・，Ｎ−１）＋１のパネルのスライド嵌合部材が第ｋのパネルのスライド嵌合部材に上側から下側に嵌合するように構成され、第Ｎのパネルのスライド嵌合部材が第１のパネルのスライド嵌合部材に上側から下側に嵌合するように構成されていることを特徴とする。
【０００６】
また、本発明の多面壁構造体用パネルセットは、上記の多面鋼材体用パネルセットの複数組からなる多段式の多面壁構造体用パネルセットであって、下段側の組の各パネルと上段側の組の各パネルには、相互に上下方向にスライド連結するためのスライド嵌合部材が設けられていることを特徴とする。
【０００７】
本発明の多面壁構造体用パネルセットでは、前記相互に横方向または上下方向に隣接するべき２つのパネルのうちの一方の当該隣接辺に、断面が概略コ字形状の目地充填補助部材を、当該コ字の開口側を前記構造体のスライド嵌合部材が備えられていない側に向けて、それぞれ取り付けることができる。
【０００８】
本発明の多面壁構造体用パネルセットでは、前記スライド嵌合部材は、金属またはプラスチックからなるＬ字形板材または鉤形板材から構成することができる。
【０００９】
本発明の多面壁構造体用パネルセットでは、前記各パネルの前記フライド嵌合部材が取り付けられた側の構造体内側となる面または／および構造体外側となる面に、化粧処理を施すことができる。
【００１０】
本発明の多面壁構造体用パネルセットは、部屋壁に用いることができ、この場合には、前記スライド嵌合部材が部屋外側に取り付けられ、少なくとも１枚のパネルには、ドアまたは窓用の開口領域が形成される。
【００１１】
本発明の多面壁構造体は、上記の多面壁構造体用パネルセットを用いたものであって、第１から第Ｎのパネルが、順次、側辺の端部同士を当接させて立設連結されてなることを特徴とする。
【００１２】
本発明の多面壁構造体の２段式多面壁構造体用パネルセットを用いたものは、各段の第１から第Ｎのパネルが、順次、側辺の端部同士を当接させるとともに、下段および／または上段のパネルの上下辺の端部同士を当接させて立設連結されてなることができる。
【００１３】
【発明の実施の形態】
図１（Ａ），（Ｂ）、図２（Ａ）〜（Ｃ）、図３（Ａ）〜（Ｃ）は、本発明の壁構造体用パネルセットに用いるパネルの説明図である。
【００１４】
図１（Ａ），（Ｂ）は、パネルの中間製品の例を示す図であり、（Ａ）は防水フィルムｄでパネル材Ｋを覆う前の様子を示す図、（Ｂ）はパネル材Ｋに防水フィルムｄ（化粧処理が施されたフィルム）を片面側全面を覆い、他面側の周辺を折り返して覆うように設けられた状態を示す図である。図１（Ａ）のパネル材Ｋは、図３（Ｃ）の断面図に示すように、本実施形態では木材からなるパネル本体ａの両面には合成樹脂からなる防水薄板ｂ，ｃが貼り付けられている。防水板は、表面となる側にのみ（図３（Ｃ）では防水薄板ｂのみ）設けるようにしてもよいし、図示はしないがパネル本体に合成樹脂防水筒体を挿着するようにしてもよい。
【００１５】
図２（Ａ）〜（Ｃ）は、図１（Ｂ）に示した防水フイルムＤで覆われたパネル材Ｋに取り付けられる目地充填補助部材を示す図である。図２（Ａ）〜（Ｃ）において、目地充填補助部材ｅは、断面コ字形状の長手形状をなし、プラスチック、金属等から構成される。コ字の底面（コ字の開口とは反対側の面）は（Ａ）ではフラットに構成され、（Ｂ）では外側に膨出する円弧状に形成され、（Ｃ）では内側に突出する三角形状に形成されている。たとえば、目地充填補助部材ｅのコ字底面部分の幅は３ｍｍ程度とすることができる。そして、目地充填補助部材全体でｌこの幅方向に弾性を有して目地幅の誤差を吸収・補正するように構成することもできる。
【００１６】
図３において（Ａ）は、本発明の壁構造体用パネルセットに用いるパネルＰの表面（たとえば、構造体の内側）を示す図、（Ｂ）はパネルＰの裏面（たとえば、構造体の外側）を示す図である。図３において（Ａ），（Ｂ）に示すように目地充填補助部材ｅは、パネルＰの側端面にコ字の開口側がパネルＰの表面側に向くように取り付けられている。
【００１７】
図３（Ｃ）は、パネルＰの目地充填補助部材ｅが取り付けられた側の側辺部分の断面説明図である。図３（Ｃ）に示すようにパネル本体ａの両面に防水薄板ｂ，ｃが貼り付けられて構成されたパネル材Ｋが、防水フィルムｄで覆われ、さらに端面側に目地充填補助部材ｅが取り付けられている。
目地充填補助部材ｅは、構造体として組み立てられたとき、パネル同士の隣接部に１つが位置されるように、パネルに取り付けられる。また、次に述べる２段多面壁構造体用パネルセットでは、下段のパネルと上段のパネルの一方に、目地充填補助部材ｅを設けることができる。
【００１８】
以下、便宜上、目地充填補助部材ｅが取り付けられていないパネルを例に説明をする。
【００１９】
《第１実施形態》
図４（Ａ）〜（Ｈ）、図５（Ａ）〜（Ｈ）は本発明の２段多面壁構造体用パネルセットの下段セット、上段セットを示す図である。
【００２０】
下段パネルセット１Ａは、第１から第８の長方形のパネルＰａ１〜Ｐａ８からなる。パネルＰａ１〜Ｐａ８の外面の両側辺近傍には、Ｌ字形状をなす金属，プラスチックにより形成されたスライド嵌合部材Ｊ１，Ｊ２が左右に２つずつ取り付けられている。また、パネルＰａ１〜Ｐａ７の上辺近傍には上段のパネルと嵌合するＬ字形状をなすスライド嵌合部材Ｊ３がそれぞれ１対取り付けられている。パネルＰａ１〜Ｐａ７は長方形状をなし、パネルＰａ８はドア取り付け用の上方開口を有するコ字形状をなしている。
【００２１】
図４に示すように、パネルＰａ２〜Ｐａ７では、それぞれ、一方のスライド嵌合部材Ｊ１は嵌合爪が下方を向き、他方の嵌合部材Ｊ２は嵌合爪が上方を向いている。また、パネルＰａ１では、双方の双方のスライド嵌合部材Ｊ１，Ｊ２が上側を向き、パネルＰａ８では、双方の双方のスライド嵌合部材Ｊ１，Ｊ２が下側を向いている。、
【００２２】
パネルＰａ１の一方の辺のスライド嵌合部材Ｊ１と、パネルＰａ８のスライド嵌合部材Ｊ２とは嵌合して、両パネルは当該嵌合部で角部を構成することができ、パネルＰａ３の一方の辺のスライド嵌合部材Ｊ１と、パネルＰａ２のスライド嵌合部材Ｊ２とは嵌合して、両パネルは当該嵌合部で角部を構成することができ、パネルＰａ５の一方の辺のスライド嵌合部材Ｊ１と、パネルＰａ４のスライド嵌合部材Ｊ２とは嵌合して、両パネルは当該嵌合部で角部を構成することができ、パネルＰａ７の一方の辺のスライド嵌合部材Ｊ１と、パネルＰａ６のスライド嵌合部材Ｊ２とは嵌合して、両パネルは当該嵌合部で角部を構成することができる。
【００２３】
図４において、パネルＰａ１，Ｐａ３，Ｐａ５，Ｐａ７のスライド嵌合部材Ｊ１は、パネル面（裏面）側で木ネジ等により取り付けられ、嵌合爪が縁部でパネルＰａ８，Ｐａ２，Ｐａ４，Ｐａ６側に９０°折れ曲げられている。パネルＰａ１，Ｐａ３，Ｐａ５，Ｐａ７のスライド嵌合部材Ｊ２およびパネルＰａ２，Ｐａ４，Ｐａ６，Ｐａ７のスライド嵌合部材Ｊ１，Ｊ２は平板状をなし、嵌合爪がパネルの外側にやや突出して構成されている。パネルＰａ２〜Ｐａ８の上辺近傍のスライド嵌合部材Ｊ３は平板状をなしている。
【００２４】
また、パネルＰａ１のスライド嵌合部材Ｊ２と、パネルＰａ２のスライド嵌合部材Ｊ１とは嵌合して、両パネルは当該嵌合部で平面を構成することができ、パネルＰａ３のスライド嵌合部材Ｊ２と、パネルＰａ４のスライド嵌合部材Ｊ１とは嵌合して、両パネルは当該嵌合部で平面を構成することができ、パネルＰａ５のスライド嵌合部材Ｊ２と、パネルＰａ６のスライド嵌合部材Ｊ１とは嵌合して、両パネルは当該嵌合部で平面を構成することができ、パネルＰａ７のスライド嵌合部材Ｊ２と、パネルＰａ８のスライド嵌合部材Ｊ１とは嵌合して、両パネルは当該嵌合部で平面を構成することができる。
【００２５】
さらに、パネルＰａ１〜パネルＰａ７の上辺近傍には、次に述べる図５（Ａ）〜（Ｈ）の上段のパネルＰｂ１〜Ｐｂ７の下辺近傍に設けられたスライド嵌合部材Ｊ６と嵌合する嵌合部材Ｊ３が１対設けられており、この嵌合により下段のパネルＰａｘ（ｘ＝１，２，・・・，８）と上段のパネルＰｂｘとは平面を構成することができる。
【００２６】
一方、図５（Ａ）〜（Ｈ）の上段のパネルセット１Ｂの構成、第１から第８の長方形のパネルＰｂ１〜Ｐｂ８からなる。パネルＰｂ１〜Ｐｂ８の外面の両側辺近傍には、Ｌ字形状をなすスライド嵌合部材Ｊ４，Ｊ５が左右にそれぞれ３つずつ取り付けられている。また、パネルＰｂ１〜Ｐｂ７の下辺近傍には下段のパネルと嵌合するＬ字形状をなすスライド嵌合部材Ｊ６がそれぞれ１対取り付けられている。パネルＰｂ１〜Ｐｂ７は長方形状をなし、パネルＰｂ８はドア取り付け用の下方開口を有するコ字形状をなしている。
【００２７】
上段のパネルセット１ＢのパネルＰｂ１〜Ｐｂ８は、パネルの高さが異なる点、下段のパネルセット１ＡのパネルＰａ１〜Ｐａ７におけるＪ３に相当するスライド嵌合部材Ｊ６が下辺近傍に取り付けられている点、およびパネルＰａ８とパネルＰｂ８との開口部位置が異なる点を除き、その構造はパネルＰａ１〜Ｐａ８の構造とほぼ同様である。
【００２８】
なお、たとえば、下段のパネルＰａ１〜Ｐａ８の高さは５０ｃｍ，上段の高さは１８０ｃｍとすることができる。
【００２９】
以下、図４（Ａ）〜（Ｈ）のパネルセット１Ａと、図５（Ａ）〜（Ｈ）のパネルセット１Ｂとを用いて、本発明の多面壁構造体を構築する例を以下に示す。
【００３０】
最初に、図６に示すように下段のパネルセット１Ａの施工を行う。
まず、パネルＰａ１を基礎材Ｂ１，Ｂ２により構成される溝Ｇに設置する。パネルＰａ２の端部を、パネルＰａ２をパネルＰａ１に対し直角に配置し、パネルＰａ１よりも高い位置からパネルＰａ１の端部に当接させて下方にスライドさせる。これにより、パネルＰａ２は溝Ｇに挿着されるとともに、パネルＰａ２のスライド嵌合部材Ｊ１は、パネルＰａ１のスライド嵌合部材Ｊ１に嵌合し、パネルＰａ１とパネルＰａ２との連結が行われる。
【００３１】
同様にパネルＰａ３の端部を、パネルＰａ２よりも高い位置からパネルＰａ２の端部に当接させて下方にスライドさせる。これにより、パネルＰａ３は溝Ｇに挿着されるとともに、パネルＰａ３のスライド嵌合部材Ｊ２は、パネルＰａ２のスライド嵌合部材Ｊ１に嵌合し、パネルＰａ２とパネルＰａ３との連結が行われる。
【００３２】
順次、パネルＰａ４とパネルＰａ３、パネルＰａ５とパネルＰａ４、パネルＰａ６とパネルＰａ５、パネルＰａ７とパネルＰａ６の連結が行われる。最後に、パネルＰａ８を溝Ｇに挿着されるとともに、パネルＰａ８とパネルＰａ７，Ｐａ１との連結が行われる。
パネルＰａ１のパネルＰａ８側のスライド嵌合部材Ｊ１と、パネルＰａ８のスライド嵌合部材Ｊ２とは、パネルＰａ８のスライド嵌合部材Ｊ２がパネルＰａ１のスライド嵌合部材Ｊ１に対して上側から下側に嵌合するように構成されている。したがって、パネルＰａ８は、パネルＰａ７とパネルＰａ１との間で両パネルに連結される。
【００３３】
以上のような簡単な作業工程により順次、パネルＰ１ａ〜Ｐａ８が相互連結でき、図６に示すような多面壁構造体１Ａが構築される。
次に、図７に示すようにパネルセット１Ｂを、パネルセット１Ａの上端に、上記と同様の手順により施工する。
【００３４】
《第２実施形態》
図８（Ａ）〜（Ｈ）は本発明の一段からなる多面壁構造体用パネルセットを示す図である。
【００３５】
図８（Ａ）〜（Ｈ）において、パネルセット１Ｃは、第１から第８の長方形のパネルＰｃ１〜Ｐｃ８からなる。
パネルＰｃ１〜Ｐｃ８の外面の両側辺近傍には、鉤形状をなすスライド嵌合部材Ｊ７，Ｊ８が１つずつ取り付けられている。パネルＰｃ１〜Ｐｃ８は長方形状をなしている。パネルＰｃ１〜Ｐｃ８に取り付けられるスライド嵌合部材Ｊ７，Ｊ８の嵌合爪の向きおよび位置は、図４に示したパネルＰａ１〜Ｐａ８のスライド嵌合部材Ｊ１，Ｊ２の嵌合爪の向きおよび位置と同じであるので説明は省略する。
【００３６】
図９は、パネルセット１ＣのパネルＰｃ１〜Ｐｃ８を組み立てた状態（多面壁構造体２）を示す図であり、（Ａ）はパネルＰｃ１〜Ｐｃ４が見える側から多面壁構造体２を見た図、（Ｂ）はパネルＰｃ５〜Ｐｃ８が見える側から多面壁構造体２を見た図である。なお、パネルセット１ＣのパネルＰｃ１〜Ｐｃ８の組み立て手順は、図４におけるパネルセット１ＡのパネルＰａ１〜Ｐａ８の組み立て手順と同じである。
【００３７】
本発明では、スライド嵌合部材が、パネルを組み立てたときにその内側に位置するように、各パネルに取り付けることができる。
図１０（Ａ）は、このようにして構成される多面壁構造体３の組み立ての中間工程を示す図である。図１０（Ａ）では、パネルＰｄ１〜Ｐｄ４までを組み立てた状態を示す。また、図１０（Ｂ）は、パネルＰｄ１〜Ｐｄ８により多面壁構造体３が組み立てられた状態を、一部を切り欠いて示す図である。パネルＰｄ１〜Ｐｄ８に取り付けられるスライド嵌合部材Ｊ９，Ｊ１０は、図９（Ａ），（Ｂ）に示したスライド嵌合部材Ｊ７，Ｊ８と概略同一であるが、上述したようにパネルＰｄ１〜Ｐｄ８の内側に設けられる点で異なる。
【００３８】
図１１（Ａ），（Ｂ）および図１２に、図４（Ａ）〜（Ｈ）、図５（Ａ）〜（Ｈ）、図１０（Ａ），（Ｂ）に示したタイプのパネルセットを用いてバスルームを施工した例を示す。
【００３９】
図１１（Ａ）に示すように、バスルームの壁面をなす多面壁構造体４は、図７に示したと同様に構築される。図１１（Ａ）では、ドア部分は図示していない。また、多面壁構造体４を構成するパネル枚数やパネルセットの段数は適宜定めることができる。また、バスタブ６の支持材として多面壁構造体５は、床面１００上に図１０（Ｂ）に示したと同様に構築される。図１１（Ａ）では、多面壁構造体５を構成するパネル枚数や、多面壁構造体５の形状は図１１（Ｂ）に示すバスタブ６の形状に適合するように構成されている。
【００４０】
図１２に、図１１（Ｂ）に示すバスタブ６を多面壁構造体５に設置して、床面１００にタイル７を施工した様子を示す。
【００４１】
《第１実施形態，第２実施形態における目地処理》
本発明の多面壁構造体では、パネルの境界（目地）部分（たとえば、図１１（Ａ），図１２の符号Ｓ参照）には、図２（Ａ）〜（Ｃ）に示したような断面コ字形の目地充填補助部材ｅが取り付けられている。第１，第２実施形態では、この目地充填補助部材ｅのコ字形状の開口側から目地充填処理が行われる。
図１３は、パネルの境界部分に充填材Ｑが注入された例を示している。充填材注入は、目地充填補助部材ｅのコ字形の開口側から行われ、充填材が裏側に漏出することはなくなる。
【００４２】
《第１実施形態，第２実施形態におけるスライド嵌合部材の取り付け》
本発明の多面壁構造体では、スライド嵌合部材の位置決めを正確に行う必要がある。上記の位置決めを行う方法、およびパネル間の隙間を形成する方法を、図１４により説明する。
【００４３】
隣接することになっているパネル（図１４ではＰ０１，Ｐ０２）同士を、組み立て前にたとえば床面等に並べ、スライド嵌合部材Ｊ０１，Ｊ０２を取り付ける。たとえば、図４（Ａ），（Ｃ），（Ｅ），（Ｇ）に示したパネルＰａ１，Ｐａ３，Ｐａ５，Ｐａ７に用いるＪ１のようなスライド嵌合部材も、組み立て前にパネルに取り付けることができる。
【００４４】
なお、第１，第２実施形態では、スライド嵌合部材の取り付けに際して取り付け誤差が生じても、図２（Ａ）〜（Ｃ）のような形状の目地充填補助部材ｅの弾力によりパネル取り付け時の前記誤差を吸収することができる。
【００４５】
このようにしてスライド嵌合部材を取り付けたパネルを用いることにより、正確なパネル取り付けおよび、パネル間に所定の隙間を空けた状態での多面壁構造体の施工が可能となる。
【００４６】
《出隅におけるスライド嵌合部材の取り付け例》
図１５（Ａ）〜（Ｃ）は本発明の出隅を有する多面壁構造体を示す説明図である。図１５（Ａ）は、多面壁構造体６は壁面がパネルＰにより構成されて、壁面の一部は出隅Ｔを有している（図１５では入角を符号Ｓで示す）。パネル同士の連結は嵌合部材を用いて上述したようにして行なわれる。出隅Ｔにおけるパネル同士の連結は、第２実施形態において角部において使用したようなスライド嵌合部材を用いることができるが、次に述べるようにこのスライド嵌合部材には限定されない。なお、入角Ｓにおけるパネル同士の連結はすでに第１実施形態で例示している。
【００４７】
嵌合部材によるパネル同士の連結途中の状態を図１５（Ｂ）に示し、連結後の状態を図１５（Ｃ）に示す。出隅Ｔにおいてパネルを連結するために、相互に嵌合するスライド嵌合部材の一方はＬ字形板材Ｊ０３により構成され、他方は扁平アーチ形状に構成されたアーチ形板材Ｊ０４により構成されている。図１５（Ｂ），（Ｃ）では、アーチ形板材Ｊ０４が取り付けられたパネルが先にセットされ、Ｌ字形板材Ｊ０３が取り付けられたパネルが後にセットされるようにしてもよいし、Ｌ字形板材Ｊ０３が取り付けられたパネルが先にセットされ、アーチ形板材Ｊ０４が取り付けられたパネルが後にセットされるようにしてもよい。
【００４８】
【発明の効果】
本発明によれば、取り付けに釘，ボルト等を必要とせずかつ強固なパネル構造を簡単な施工で実現できしたがって釘，ボルト等により見栄えが悪くはならずかつ一人作業が可能であり、また取り付け誤差もない多面壁構造体用パネルセットおよびこれを用いた多面壁構造体を提供することができる。
【図面の簡単な説明】
【図１】（Ａ）は防水フィルムｄでパネル材Ｋを覆う前の様子を示す図、（Ｂ）はパネル材Ｋに防水フィルムｄを片面側全面を覆い、他面側の周辺を折り返して覆うように設けられた状態を示す図である。
【図２】（Ａ）ではフラットに構成された目地充填補助部材を示す図、（Ｂ）は外側に膨出する円弧状に形成された目地充填補助部材を示す図、（Ｃ）では内側に突出する三角形状に形成された目地充填補助部材を示す図である。
【図３】（Ａ）は本発明の壁構造体用パネルセットに用いるパネルの表面を示す図、（Ｂ）はパネルの裏面を示す図、（Ｃ）はパネルの目地充填補助部材が取り付けられた側の側辺部分の断面説明図である。
【図４】（Ａ）〜（Ｈ）は本発明の２段多面壁構造体用パネルセットの下段セットを示す図である。
【図５】（Ａ）〜（Ｈ）は本発明の２段多面壁構造体用パネルセットの上段セットを示す図である。
【図６】下段のパネルセットの施工後の様子を示す図である。
【図７】上段のパネルセットの施工後の様子を示す図である。
【図８】（Ａ）〜（Ｈ）は本発明の一段からなる多面壁構造体用パネルセットを示す図である。
【図９】パネルセットのパネルを組み立てた状態を示す図であり、（Ａ）はパネルＰｃ１〜Ｐｃ４が見える側から多面壁構造体を見た図、（Ｂ）はパネルＰｃ５〜Ｐｃ８が見える側から多面壁構造体を見た図である。
【図１０】スライド嵌合部材が、パネルを組み立てたときにその内側に位置するように各パネルに取り付けた場合を示す図であり、（Ａ）は多面壁構造体の組み立ての中間工程を示す図、（Ｂ）はパネルにより多面壁構造体が組み立てられた状態を、一部を切り欠いて示す図である。
【図１１】（Ａ）は図４（Ａ）〜（Ｈ）、図５（Ａ）〜（Ｈ）、図１０（Ａ），（Ｂ）に示したタイプのパネルセットを用いてバスルームを施工する工程の途中を示す図、（Ｂ）はバスタブを示す図である。
【図１２】図１１（Ｂ）に示すバスタブを図１１（Ａ）に示す多面壁構造体に設置して、床面タイル処理を施した様子を示す図である。
【図１３】パネルの境界部分に充填材が注入された例を示す図である。
【図１４】スライド嵌合部材をパネルに取り付ける際の位置決め方法の説明図である。
【図１５】本発明の出隅を有する多面壁構造体を示す説明図であり、（Ａ）は多面壁構造体を示す図、（Ｂ）は嵌合部材による連結途中の状態を示す図、（Ｃ）は連結後の状態を示す図である。
【符号の説明】
１，２，３，４，５  多面壁構造体
１Ａ  下段パネルセット
１Ｂ  上段パネルセット
６  バスタブ
７  タイル
１００  床
ａ  パネル本体
ｂ，ｃ  防水薄板
Ｂ１，Ｂ２  基礎材Ｂ１，Ｂ２
ｄ  防水フィルム（化粧処理がなされたフィルム）
ｅ  目地充填補助部材
Ｇ  溝
Ｊ１，Ｊ２，Ｊ３，Ｊ４，Ｊ５，Ｊ６，Ｊ７，Ｊ８，Ｊ９，Ｊ１０，Ｊ０１，Ｊ０２，Ｊ０３，Ｊ０４  スライド嵌合部材
Ｋ  パネル材
Ｐａ１〜Ｐａ８，Ｐｂ１〜Ｐｂ８，Ｐｃ１〜Ｐｃ８，Ｐｄ１〜Ｐｄ８，Ｐ０１，Ｐ０２，Ｐ０３，Ｐ０４  パネル
Ｑ  充填材
Ｓ  入角
Ｔ  出隅
【図１】
2005048373.tif 000003
【図２】
2005048373.tif 000004
【図３】
2005048373.tif 000005
【図４】
2005048373.tif 000006
【図５】
2005048373.tif 000007
【図６】
2005048373.tif 000008
【図７】
2005048373.tif 000009
【図８】
2005048373.tif 000010
【図９】
2005048373.tif 000011
【図１０】
2005048373.tif 000012
【図１１】
2005048373.tif 000013
【図１２】
2005048373.tif 000014
【図１３】
2005048373.tif 000015
【図１４】
2005048373.tif 000016
【図１５】
2005048373.tif 000017